(57)【要約】【課題】複数の情報端末を使用して文字情報を受信する際に、余計な文字情報を受信しないようにする。【解決手段】チューナー１１、ディスプレイ１４、表示すべき文字情報を特定する少なくとも１のキーワードが登録された情報端末２と通信を行ってキーワードにより特定される文字情報を情報端末２に送信する通信ユニット１５、並びにチューナー１１、通信ユニット１５のみをオン・オフするスイッチ１８をテレビ受信機１に設ける。情報端末２にその位置情報、複数の情報端末間の優先順位情報および所有者情報を登録する。通信ユニット１５は情報端末２の位置情報、優先順位情報、所有者情報、登録されたキーワードを取得し、所有者が同一の情報端末が同一場所に複数存在し、同一場所に複数存在する情報端末に登録されたキーワードが重複する場合、優先順位が高い情報端末にのみ重複するキーワードにより特定される文字情報を送信する。【選択図】図１
2008301012.tif 000002
【特許請求の範囲】
【請求項１】
文字情報を含む情報の放送を受信する受信手段と、前記情報を表示する表示手段と、表示すべき文字情報を特定する少なくとも１つのキーワードが登録された、前記文字情報を受信して表示する情報端末と通信を行って、前記キーワードにより特定される前記文字情報を該情報端末に送信する通信手段と、前記受信手段、前記表示手段および前記通信手段のうちの前記受信手段および前記通信手段のみをオン・オフするスイッチ手段とを備えた情報表示装置、および
複数の前記情報端末を備えた情報表示システムにおいて、
前記情報端末に、その位置情報、該複数の情報端末間の優先順位情報および所有者情報が登録されてなり、
前記通信手段は、前記複数の情報端末の位置情報、優先順位情報および所有者情報、並びに登録されたキーワードを取得し、所有者が同一の前記情報端末が同一場所に複数存在する場合において、該同一場所に複数存在する情報端末に登録されたキーワードが重複する場合、優先順位が高い情報端末にのみ、前記重複するキーワードにより特定される前記文字情報を送信する手段であることを特徴とする情報表示システム。
【請求項２】
前記通信手段は、前記受信手段が特殊情報を受信した場合、該特殊情報をすべての前記情報端末に送信するよう前記通信手段を制御する手段であることを特徴とする請求項１記載の情報表示システム。
【請求項３】
前記通信手段は、前記受信手段が受信する放送が切り替わった場合、その旨の情報をすべての前記情報端末に送信する手段であることを特徴とする請求項１記載の情報表示システム。
【請求項４】
文字情報を含む情報の放送を受信する受信手段と、前記情報を表示する表示手段と、表示すべき文字情報を特定する少なくとも１つのキーワードが登録された、前記文字情報を受信して表示する情報端末と通信を行って、前記キーワードにより特定される前記文字情報を該情報端末に送信する通信手段と、前記受信手段、前記表示手段および前記通信手段のうちの前記受信手段および前記通信手段のみをオン・オフするスイッチ手段とを備えた情報表示装置、および
複数の前記情報端末を備えた情報表示システムにおける情報表示方法において、
前記情報端末に、その位置情報、該複数の情報端末間の優先順位情報および所有者情報を登録しておき、前記複数の情報端末の位置情報、優先順位情報および所有者情報、並びに登録されたキーワードを取得し、
所有者が同一の前記情報端末が同一場所に複数存在する場合において、該同一場所に複数存在する情報端末に登録されたキーワードが重複する場合、優先順位が高い情報端末にのみ、前記重複するキーワードにより特定される前記文字情報を送信することを特徴とする情報表示方法。
【請求項５】
文字情報を含む情報の放送を受信する受信手段と、前記情報を表示する表示手段と、表示すべき文字情報を特定する少なくとも１つのキーワードが登録された、前記文字情報を受信して表示する情報端末と通信を行って、前記キーワードにより特定される前記文字情報を該情報端末に送信する通信手段と、前記受信手段、前記表示手段および前記通信手段のうちの前記受信手段および前記通信手段のみをオン・オフするスイッチ手段とを備えた情報表示装置、および
複数の前記情報端末を備えた情報表示システムにおける情報表示方法をコンピュータに実行させるためのプログラムにおいて、
前記情報端末に、その位置情報、該複数の情報端末間の優先順位情報および所有者情報を登録しておき、前記複数の情報端末の位置情報、優先順位情報および所有者情報、並びに登録されたキーワードを取得する手順と、
所有者が同一の前記情報端末が同一場所に複数存在する場合において、該同一場所に複数存在する情報端末に登録されたキーワードが重複する場合、優先順位が高い情報端末にのみ、前記重複するキーワードにより特定される前記文字情報を送信する手順とを有することを特徴とするプログラム。
【発明の詳細な説明】
【技術分野】
【０００１】
本発明は、動画像および静止画像等の映像情報並びに文字情報の放送を受信してこれらの情報を表示する情報表示システムおよび方法、並びに情報表示方法をコンピュータに実行させるためのプログラムに関するものである。
【背景技術】
【０００２】
近年、テレビ放送電波に多重して送信される文字情報を受信してテレビ画面に表示するテレビ受信機が多数出回っている。このようなテレビ受信機は、テレビ放送の映像情報および文字放送の文字情報を含む放送電波を受信し、表示する番組を選択することにより、映像情報または文字情報をテレビ受信機の画面に表示するものである。このようなテレビ受信機においては、映像情報を表示している場合に、文字情報を表示しようとする場合、現在表示中の映像情報の表示を中断してから文字情報を表示する必要がある。
【０００３】
このため、テレビ受信機において映像情報の表示中に、モニタを備えたリモコンやパソコン等の情報端末に文字情報を送信するようにしたシステムが提案されている（特許文献１，２，３参照）。また、情報端末に受信する番組の属性を登録しておき、テレビ受信機側において、情報を送信する情報端末の属性を考慮して情報を送信するようにしたシステムも提案されている（特許文献４参照）。
【０００４】
また、テレビ受信機において表示部分の電源をオンとすることなく、受信部分および情報の送信部分のみの電源をオンとして、テレビ受信機側においてはディスプレイに映像情報を表示することなく、操作内容を表示するパネル部分に文字情報を表示するようにしたシステムも提案されている。
【特許文献１】特開平１１−２２５２９９号公報
【特許文献２】特開２０００−３１５９５９号公報
【特許文献３】特開２０００−１１５６６４号公報
【特許文献４】特開平１０−７５２１９号公報
【発明の開示】
【発明が解決しようとする課題】
【０００５】
ところで、上述したように文字情報を表示する情報端末としては、パソコンのように固定された情報端末のみならず、テレビ受信機のリモコン、携帯電話、ＰＤＡ、およびデジタルカメラ等の移動可能な情報端末が用いられる。このため、パソコン等の固定式の情報端末が設置されている部屋に携帯電話等の移動可能な情報端末を持ち込んで、固定式および移動可能な情報端末の双方で文字情報を受信することが考えられる。しかしながら、とくに情報端末に受信する番組の属性を登録する場合、固定式の情報端末および移動可能な情報端末の双方に重複する属性が登録されていると、同じ場所にいるにも拘わらず重複する情報が複数の情報端末に同時に表示されてしまうため、その確認が煩わしいものとなる。
【０００６】
本発明は上記事情に鑑みなされたものであり、複数の情報端末を使用して文字情報を受信する際に、余計な文字情報を受信しないようにすることを目的とする。
【課題を解決するための手段】
【０００７】
本発明による情報表示システムは、文字情報を含む情報の放送を受信する受信手段と、前記情報を表示する表示手段と、表示すべき文字情報を特定する少なくとも１つのキーワードが登録された、前記文字情報を受信して表示する情報端末と通信を行って、前記キーワードにより特定される前記文字情報を該情報端末に送信する通信手段と、前記受信手段、前記表示手段および前記通信手段のうちの前記受信手段および前記通信手段のみをオン・オフするスイッチ手段とを備えた情報表示装置、および
複数の前記情報端末を備えた情報表示システムにおいて、
前記情報端末に、その位置情報、該複数の情報端末間の優先順位情報および所有者情報が登録されてなり、
前記通信手段は、前記複数の情報端末の位置情報、優先順位情報および所有者情報、並びに登録されたキーワードを取得し、所有者が同一の前記情報端末が同一場所に複数存在する場合において、該同一場所に複数存在する情報端末に登録されたキーワードが重複する場合、優先順位が高い情報端末にのみ、前記重複するキーワードにより特定される前記文字情報を送信する手段であることを特徴とするものである。
【０００８】
情報端末としては、パソコンのように固定された情報端末のみならず、テレビ受信機のリモコン、携帯電話、ＰＤＡ、およびデジタルカメラ等の移動可能な情報端末を用いることができる。
【０００９】
また、通信手段の通信方式としては、赤外線通信のように比較的近距離における通信方式を用いてもよいが、無線ＬＡＮ、ブルーツース等の遠距離でも通信可能な通信方式を用いることが好ましい。この場合、情報端末は情報表示装置の通信手段の通信方式に適合した通信手段を備えるものとする。
【００１０】
なお、本発明による情報表示システムにおいては、前記通信手段を、前記受信手段が特殊情報を受信した場合、該特殊情報をすべての前記情報端末に送信するよう前記通信手段を制御する手段としてもよい。
【００１１】
特殊情報としては、災害等を伝えるための緊急の情報、避難指示のための避難情報等、視聴者に漏れなく知らせる必要がある情報を意味する。
【００１２】
また、本発明による情報表示システムにおいては、前記通信手段を、前記受信手段が受信する放送が切り替わった場合、その旨の情報をすべての前記情報端末に送信する手段としてもよい。
【００１３】
本発明による情報表示方法は、文字情報を含む情報の放送を受信する受信手段と、前記情報を表示する表示手段と、表示すべき文字情報を特定する少なくとも１つのキーワードが登録された、前記文字情報を受信して表示する情報端末と通信を行って、前記キーワードにより特定される前記文字情報を該情報端末に送信する通信手段と、前記受信手段、前記表示手段および前記通信手段のうちの前記受信手段および前記通信手段のみをオン・オフするスイッチ手段とを備えた情報表示装置、および
複数の前記情報端末を備えた情報表示システムにおける情報表示方法において、
前記情報端末に、その位置情報、該複数の情報端末間の優先順位情報および所有者情報を登録しておき、前記複数の情報端末の位置情報、優先順位情報および所有者情報、並びに登録されたキーワードを取得し、
所有者が同一の前記情報端末が同一場所に複数存在する場合において、該同一場所に複数存在する情報端末に登録されたキーワードが重複する場合、優先順位が高い情報端末にのみ、前記重複するキーワードにより特定される前記文字情報を送信することを特徴とするものである。
【００１４】
なお、本発明による情報表示方法をコンピュータに実行させるためのプログラムとして提供してもよい。
【発明の効果】
【００１５】
本発明によれば、複数の情報端末の位置情報、優先順位情報および所有者情報、並びに登録されたキーワードが取得され、所有者が同一の情報端末が同一場所に複数存在する場合において、同一場所に複数存在する情報端末に登録されたキーワードが重複する場合、優先順位が高い情報端末にのみ、重複するキーワードにより特定される文字情報が送信される。これにより、所有者が同一の情報端末が同一場所に複数存在する場合に、重複する情報が複数の情報端末に同時に表示されることがなくなるため、情報端末の所有者は複数の情報端末の表示内容を確認する必要がなくなる。
【００１６】
また、特殊情報についてはすべての情報端末に送信することにより、すべての情報端末において特殊情報が表示されることとなる。このため、情報端末の所有者が特殊情報を見落としてしまうことを防止できる。
【００１７】
また、受信する放送が切り替わったときにその旨の情報をすべての情報端末に送信することにより、情報端末の所有者は文字情報が取得できなくなったことを知ることができる。
【発明を実施するための最良の形態】
【００１８】
以下、図面を参照して本発明の実施形態について説明する。図１は本発明の実施形態による情報表示システムの構成を示す概略ブロック図である。図１に示すように本実施形態による情報表示システムは、テレビ受信機１と複数の情報端末２とを備える。
【００１９】
テレビ受信機１は、アンテナ１０に接続されたチューナー１１、デコーダ１２、スピーカ１３、ディスプレイ１４、通信ユニット１５、電源制御ユニット１６および２つのスイッチ１７，１８を備える。
【００２０】
チューナー１１は、アンテナ１０によりテレビ放送の番組の電波を受信する。なお、テレビ放送には映像情報および文字情報が含まれる。また、不図示のリモコンを用いて受信する放送のチャンネルを切り替えることができる。
【００２１】
デコーダ１２は、チューナー１１が受信したテレビ放送の番組の電波をデコードして、映像情報および文字情報を生成する。
【００２２】
スピーカ１３は、映像情報に含まれる音声を出力する。
【００２３】
ディスプレイ１４は、映像情報に含まれる音声を出力する。
【００２４】
通信ユニット１５は、例えば無線ＬＡＮ、ブルーツース等、比較的遠距離においても通信可能な通信方式により複数の情報端末２と通信を行い、すべての情報端末２から情報端末２の位置情報、優先順位情報および情報端末２の所有者情報、並びに情報端末２に登録されたキーワードの情報を受信する。そして、後述するように、位置情報、優先順位情報および情報端末２の所有者情報、並びに情報端末２に登録されたキーワードの情報に基づいて、デコーダ１２がデコードした文字情報を情報端末２に送信する。なお、優先順位情報は、複数の情報端末２が同一の所有者に所持されている場合に、各情報端末２の優先順位を表す情報である。
【００２５】
ここで、キーワードとしては、文字情報の種類を特定するものであり、例えば野球の試合結果、サッカーの試合結果、天気予報、宝くじの結果、交通情報、電車の運行情報、およびフライト情報等、文字情報として受信したい番組を特定する語を用いることができる。
【００２６】
電源制御ユニット１６は第１および第２のスイッチ１７，１８と接続されている。第１のスイッチ１７がユーザにより操作されると、電源制御ユニット１６は、チューナー１１、デコーダ１２、ディスプレイ１４および通信ユニット１５をオンとする。また、第２のスイッチ１８が操作されると、電源制御ユニット１６は、チューナー１１、デコーダ１２、および通信ユニット１５のみをオンとする。なお、第２のスイッチ１８の操作は、情報端末２から行うことができる。
【００２７】
情報端末２は、通信ユニット２１、ディスプレイ２２、ＧＰＳ部２３およびメモリ２４を備える。
【００２８】
通信ユニット２１は、テレビ受信機１の通信ユニット１７の通信方式と同一の通信方式によりテレビ受信機１と通信を行い、情報端末２の位置情報、優先順位情報および情報端末２の所有者情報、並びに情報端末２に登録されたキーワードの情報をテレビ受信機１に送信する。そして、後述するように、テレビ受信機１から送信された文字情報等の情報を受信する。
【００２９】
ディスプレイ２２は、テレビ受信機１から送信され、通信ユニット２１が受信した文字情報を表示する。
【００３０】
ＧＰＳ部２３は、ＧＰＳ衛星からの位置情報を受信することにより、情報端末２の位置を特定する位置情報を生成する。
【００３１】
メモリ２４には、情報端末２の所有者を特定する情報、優先順位情報、および情報端末２において受信を所望する文字情報を特定するためのキーワードが記憶されている。
【００３２】
なお、情報端末２には不図示の操作部が設けられており、ユーザの操作により文字情報の送信の指示をテレビ受信機１に行ったり、情報端末２から各種情報をテレビ受信機１に送信したり、キーワードを入力してメモリ２４に記憶したりすることができる。
【００３３】
次いで、本実施形態において行われる処理について説明する。図２は本実施形態において行われる第１の処理を示すフローチャートである。なお、ここでは第２のスイッチ１８が操作されて、チューナー１１、デコーダ１２および通信ユニット１５がオンとされているものとする。また、図３に示すように、テレビ受信機１は４つの部屋Ｒ０〜Ｒ３を有する家屋の部屋Ｒ０に設置されており、部屋Ｒ１にはユーザＵ１のパソコンＰＣ１が、部屋Ｒ２にはユーザＵ２のパソコンＰＣ２が、部屋Ｒ３にはユーザＵ３のパソコンＰＣ３が、それぞれ情報端末２として設置されているものとする。また、ユーザＵ１〜Ｕ３は、情報端末２としての携帯電話Ｍ１〜Ｍ３をそれぞれ所持しており、それぞれ部屋Ｒ１〜Ｒ３に居るものとする。
【００３４】
ユーザＵ１〜Ｕ３が、情報端末２（すなわちパソコンＰＣ１〜ＰＣ３または携帯電話Ｍ１〜Ｍ３）により、テレビ受信機１の第２のスイッチ１８を操作することによりテレビ受信機１が処理を開始し、チューナー１１、デコーダ１２および通信ユニット１５がオンとされる（電源オン：ステップＳＴ１）。これにより、チューナー１１がテレビ放送を受信し、デコーダ１２がテレビ放送をデコードして映像情報および文字情報を生成する。なお、ディスプレイ１４はオンとされていないため、映像情報はディスプレイ１４には表示されない。
【００３５】
次いで、ユーザＵ１〜Ｕ３の指示により、すべての情報端末２から位置情報、優先順位情報および情報端末２の所有者情報、並びに情報端末２に登録されたキーワードの情報が送信される（情報送信：ステップＳＴ２）。
【００３６】
テレビ受信機１は、情報端末２から送信された位置情報、優先順位情報および情報端末２の所有者情報、並びに情報端末２に登録されたキーワードの情報を受信し（情報受信：ステップＳＴ３）、受信した放送に通信ユニット１５が受信したすべてのキーワードに対応する文字情報が含まれているか否かを判定する（ステップＳＴ４）。ステップＳＴ４が否定されると、送信する文字情報がない旨の情報をすべての情報端末２に送信し（ステップＳＴ５）、チューナー１１、デコーダ１２および通信ユニット１５をオフとし（電源オフ：ステップＳＴ６）、処理を終了する。
【００３７】
これにより情報端末２は文字情報が送信されない旨の情報を表示し（ステップＳＴ７）、処理を終了する。
【００３８】
一方、ステップＳＴ４が肯定されると、通信ユニット１５が位置情報、優先順位情報および情報端末２の所有者情報、並びに情報端末２に登録されたキーワードの情報に基づいて、同一の部屋にある情報端末２においてキーワードが重複する場合、優先順位が高い情報端末２にのみ重複するキーワードにより特定される文字情報を送信する処理を行う（文字情報送信処理；ステップＳＴ８）。以下、文字情報送信処理について説明する。
【００３９】
図４は文字情報送信処理を説明するための図、図５は文字情報送信処理のフローチャートである。上述したように部屋Ｒ１にはパソコンＰＣ１および携帯電話Ｍ１が、部屋Ｒ２にはパソコンＰＣ２および携帯電話Ｍ２が、部屋Ｒ３にはパソコンＰＣ３および携帯電話Ｍ３が存在する。また、図４に示すように各部屋Ｒ１〜Ｒ３にある情報端末２の優先順位は、Ｍ１＞ＰＣ１、Ｍ２＞ＰＣ２、Ｍ３＜ＰＣ３であるものとする。また、パソコンＰＣ１にはＫ１〜Ｋ４の４つのキーワードが、携帯電話Ｍ１にはＫ５〜Ｋ８の４つのキーワードが、パソコンＰＣ２にはＫ１，Ｋ２，Ｋ３，Ｋ５の４つのキーワードが、携帯電話Ｍ２にはＫ１，Ｋ２，Ｋ３，Ｋ５の４つのキーワードが、パソコンＰＣ３にはＫ１０〜Ｋ１３の４つのキーワードが、携帯電話Ｍ３にはＫ１０，Ｋ１１，Ｋ１２，Ｋ１４の４つのキーワードがそれぞれ登録されているものとする。
【００４０】
通信ユニット１５は、まず、受信した位置情報に基づいて、同一の部屋に複数の情報端末２が存在するか否かを判定する（ステップＳＴ２１）。ステップＳＴ１１が否定される、すなわち各部屋に１つの情報端末２しか存在しない場合には、各部屋に存在する情報端末２から送信されたキーワードにより特定されるすべての文字情報を情報端末２に送信し（ステップＳＴ２２）、処理を終了する。なお、登録されたキーワードにより特定される文字情報が受信した放送に含まれない場合には、そのキーワードにより特定される文字情報は情報端末２には送信されない。
【００４１】
同一の部屋に複数の情報端末２が存在するために、ステップＳＴ２１が肯定されると、通信ユニット１５は所有者情報に基づいて、同一の部屋に存在する複数の情報端末２が同一の所有者により所有されたものであるか否かを判定する（ステップＳＴ２３）。ステップＳＴ２３が否定される、すなわち同一の部屋に存在する複数の情報端末２の所有者がそれぞれ異なる場合には、ステップＳＴ２２に進み、各部屋に存在する情報端末２から送信されたキーワードにより特定されるすべての文字情報を情報端末２に送信する。
【００４２】
複数の情報端末２の所有者が同一であるために、ステップＳＴ２３が肯定されると、優先順位情報に基づいて、同一の部屋に存在する複数の情報端末２間においてキーワードが重複する場合、優先順位が高い方の情報端末にのみそのキーワードにより特定される文字情報を送信し（ステップＳＴ２４）、文字情報送信処理を終了する。なお、重複しないキーワードについては、すべての情報端末２にそのキーワードにより特定される文字情報が送信される。
【００４３】
ステップＳＴ８に続いて、情報端末２は送信された文字情報の表示を開始する（ステップＳＴ９）。そして文字情報の表示が完了したか否かを判定し（ステップＳＴ１０）、ステップＳＴ１０が否定されるとステップＳＴ９に戻る。ステップＳＴ１０が肯定されると処理を終了する。なお、文字情報の表示が完了した場合には、ビープ音を鳴らして文字情報の表示が完了したことをユーザに知らせることが好ましい。
【００４４】
これにより、図４に示すような状況においては、部屋Ｒ１に存在するパソコンＰＣ１および携帯電話Ｍ１については、重複するキーワードがないため、双方の情報端末２にすべてのキーワードにより特定される文字情報が送信される。なお、図４において表示される文字情報に斜線を付与するものとする。
【００４５】
また、部屋Ｒ２に存在するパソコンＰＣ２および携帯電話Ｍ２については、すべてのキーワードが重複するため、優先順位が高い携帯電話Ｍ２に対してのみ、すべてのキーワードにより特定される文字情報が送信される。この場合、パソコンＰＣ２には何ら文字情報は送信されない。
【００４６】
また、部屋Ｒ３に存在するパソコンＰＣ３および携帯電話Ｍ３については、キーワードＫ１０〜Ｋ１２が重複するため、優先順位が高いパソコンＰＣ３に対してのみ、キーワードＫ１０〜Ｋ１２により特定される文字情報が送信される。また、パソコンＰＣ３にはキーワードＫ１３により特定される文字情報が、携帯電話Ｍ３にはキーワードＫ１４により特定される文字情報のみがそれぞれ送信される。
【００４７】
また、このような状態において、図６に示すようにユーザＵ２が携帯電話をＭ２持って部屋Ｒ２から部屋Ｒ１に移動し、さらにユーザＵ３が携帯電話Ｍ３を持って部屋Ｒ３から部屋Ｒ１に移動したとする。この場合、部屋Ｒ１に存在するパソコンＰＣ１および携帯電話Ｍ１と携帯電話Ｍ２との所有者が異なるため、部屋Ｒ１に移動したユーザＵ２の携帯電話Ｍ２にはすべてのキーワードＫ１，Ｋ２，Ｋ３，Ｋ５により特定される文字情報が表示される。また、パソコンＰＣ１および携帯電話Ｍ１と携帯電話Ｍ３との所有者も異なるため、部屋Ｒ１に移動したユーザＵ３の携帯電話Ｍ３には、ユーザＵ３が部屋Ｒ３にいたときには表示されなかったすべてのキーワードＫ１０，Ｋ１１，Ｋ１２，Ｋ１４により特定される文字情報が表示される。なお、部屋Ｒ１に移動したユーザＵ２，Ｕ３は、携帯電話Ｍ２，Ｍ３から位置情報、優先順位情報、所有者情報、およびキーワードの情報を送信する必要がある。
【００４８】
一方、部屋Ｒ２，Ｒ３にはパソコンＰＣ２，ＰＣ３のみが存在することとなる。この場合、パソコンＰＣ２，ＰＣ３には文字情報を表示し続けてもよいが、テレビ受信機１の通信ユニット１５は、情報端末２から受信した位置情報によりユーザＵ２，Ｕ３が部屋Ｒ１へ移動して部屋Ｒ２，Ｒ３には誰もいなくなったことが分かるため、パソコンＰＣ２，ＰＣ３への文字情報の送信を停止してもよい。なお、図６においては文字情報を表示した状態を示している。
【００４９】
これにより、所有者が同一の情報端末２が同一の部屋に複数存在する場合に、重複する情報が複数の情報端末２に同時に表示されることがなくなるため、情報端末２の所有者は複数の情報端末２の表示内容を確認する必要がなくなる。
【００５０】
次いで、災害等を伝えるための緊急の情報および避難指示のための避難情報等、情報端末２の所有者に漏れなく知らせる必要がある情報である特殊情報が文字情報に含まれる場合の処理を第２の処理として説明する。図７は第２の処理のフローチャートである。なお、第２の処理は上記第１の処理におけるステップＳＴ３とステップＳＴ４との間の処理のみが異なるため、ここではステップＳＴ３とステップＳＴ４との間の処理についてのみ説明する。
【００５１】
ステップＳＴ３に続いて受信した放送の文字情報に特殊情報が含まれるか否かを判定する（ステップＳＴ３１）。ステップＳＴ３１が肯定されると特殊情報をすべての情報端末２に送信し（ステップＳＴ３２）、ステップＳＴ４の処理へ進む。
【００５２】
情報端末２は特殊情報の表示を開始する（ステップＳＴ３３）。そして特殊情報の表示が完了したか否かを判定し（ステップＳＴ３４）、ステップＳＴ３４が否定されるとステップＳＴ３３に戻る。ステップＳＴ３４が肯定されると処理を終了する。なお、特殊情報の表示が完了した場合には、ビープ音を鳴らして特殊情報の表示が完了したことをユーザに知らせることが好ましい。
【００５３】
これにより、特殊情報は漏れなく情報端末２に表示されるため、ユーザは特殊情報を見逃すことがなくなる。
【００５４】
なお、情報端末２において特殊情報の受信を完了した場合には、テレビ受信機１に特殊情報の受信を完了した旨を表す情報（受信情報とする）を送信することが好ましい。これにより、テレビ受信機１はいずれの情報端末２が特殊情報を受信していないか知ることができる。なお、テレビ受信機１において、受信情報を受信していない情報端末２のために文字情報を保存しておき、受信情報が情報端末２から送信されるまで、所定時間間隔にて文字情報を情報端末２に送り続けることが好ましい。これにより、情報端末２において漏れなく特殊情報を表示することができる。
【００５５】
また、情報端末２においては、特殊情報を表示した後に文字情報が送信されるが、その場合、特殊情報と併せて文字情報を表示するようにしてもよく、文字情報の表示を禁止して特殊情報のみを表示してもよく、特殊情報に代えて文字情報を表示するようにしてもよい。
【００５６】
次いで、テレビ受信機１のチャンネルが切り替えられた場合の処理を第３の処理として説明する。ここで、チャンネルが切り替えられるとは、例えば、ユーザＵ１〜Ｕ３または他のユーザが番組の予約録画等をしていて、強制的にチャンネルが切り替えられてしまう場合を言う。図８は第３の処理のフローチャートである。なお、第３の処理は上記第１の処理におけるステップＳＴ３とステップＳＴ４との間の処理のみが異なるため、ここではステップＳＴ３とステップＳＴ４との間の処理についてのみ説明する。
【００５７】
ステップＳＴ３に続いてチャンネルが切り替えられたか否かを判定する（ステップＳＴ４１）。ステップＳＴ４１が肯定されると文字情報を表示できない旨の情報（文字情報表示不可の情報）をすべての情報端末２に送信する（ステップＳＴ４２）。情報端末２は文字情報表示不可の情報の表示を開始する（ステップＳＴ４３）。そして文字情報表示不可の情報の表示が完了したか否かを判定し（ステップＳＴ４４）、ステップＳＴ４４が否定されるとステップＳＴ４３に戻る。ステップＳＴ４４が肯定されると処理を終了する。なお、表示が完了した場合には、ビープ音を鳴らして文字情報表示不可の情報の表示が完了したことをユーザに知らせることが好ましい。
【００５８】
なお、ステップＳＴ４１が否定されると、ステップＳＴ４の処理に進む。なお、第２の処理を併せて行う場合には、ステップＳＴ３１の処理へ進む。
【００５９】
これにより、情報端末２のユーザは、文字情報が表示できない状態であることを知ることができる。
【００６０】
なお、上記実施形態においては、情報端末２においてＧＰＳ部２３により位置情報を生成しているが、例えば情報端末２が存在する位置が特定できれば、公知の任意の手段により位置情報を生成することができるものである。
【００６１】
以上、本発明の実施形態について説明したが、コンピュータを、上記の通信ユニット１５として機能させ、図２，５，７，８に示すような処理を行わせるプログラムも、本発明の実施形態の１つである。また、そのようなプログラムを記録したコンピュータ読取り可能な記録媒体も、本発明の実施形態の１つである。
【図面の簡単な説明】
【００６２】
【図１】本発明の実施形態による情報表示システムの構成を示す概略ブロック図
【図２】本実施形態において行われる第１の処理を示すフローチャート
【図３】情報端末が複数の部屋に存在する状態を示す図
【図４】文字情報送信処理を説明するための図（その１）
【図５】文字情報送信処理のフローチャート
【図６】文字情報送信処理を説明するための図（その２）
【図７】本実施形態において行われる第２の処理を示すフローチャート
【図８】本実施形態において行われる第３の処理を示すフローチャート
【符号の説明】
【００６３】
１    テレビ受信機
２    情報端末
１０    アンテナ
１１    チューナー
１２    デコーダ
１３    スピーカ
１４    ディスプレイ
１５    通信ユニット
１６    電源制御ユニット
１７，１８    スイッチ
２１    通信ユニット
２２    ＧＰＳ部
２３    ディスプレイ
２４    メモリ
【図１】
2008301012.tif 000003
【図２】
2008301012.tif 000004
【図３】
2008301012.tif 000005
【図４】
2008301012.tif 000006
【図５】
2008301012.tif 000007
【図６】
2008301012.tif 000008
【図７】
2008301012.tif 000009
【図８】
2008301012.tif 000010